(57)【特許請求の範囲】
【請求項１】
地毛を取り分けた地毛束と編み合わされると共に、編み端が束ね材で束ねられることによって前記地毛束に取り付けられる増毛用毛髪束において、
前記複数本の増毛用毛髪材で構成される本体部を束ね、引っ掛け部を備えた伸縮性を有する前記束ね材及び前記引っ掛け部が引っ掛けられる被引っ掛け部を、前記本体部に取り付けたことを特徴とする増毛用毛髪束。
【請求項２】
前記束ね材及び前記被引っ掛け部の取り付け位置を、前記本体部のうち前記編み端の部位としたことを特徴とする請求項１に記載の増毛用毛髪束。
【請求項３】
ビーズの一部を膨出させることにより前記被引っ掛け部を形成し、前記ビーズに設けられた挿通孔に挿通される糸ゴムによって前記本体部を束ねることにより前記ビーズを前記増毛用毛髪材に取り付けたことを特徴とする請求項１又は２に記載の増毛用毛髪束。
【請求項４】
前記引っ掛け部を備えた伸縮自在な前記束ね材は糸ゴムであり、該糸ゴムの一部で前記本体部を束ね、前記糸ゴムの残りの部分を輪状に形成し、該輪状部の一部を前記引っ掛け部としたことを特徴とする請求項１から３のいずれかに記載の増毛用毛髪束。
【請求項５】
地毛を取り分けた地毛束と、請求項１から４のいずれかに記載の増毛用毛髪束とを編み合わせた後、編み端部に前記増毛用毛髪束の前記束ね材を伸ばした状態で巻き付け、前記束ね材の復元力によって前記引っ掛け部を被引っ掛け部に引っ掛けることを特徴とする増毛用毛髪束の取り付け方法。
【発明の詳細な説明】
【技術分野】
【０００１】
本発明は、所謂ヘアーエクステンションと称される増毛用毛髪束及び該増毛用毛髪束を地毛に取り付ける取り付け方法に関するものである。
【背景技術】
【０００２】
ヘアーエクステンションによる増毛方法は、図１２のように地毛１００の所定の取り付け位置１０１に増毛用毛髪材１０２を取り付けることにより、図１３のように頭髪の長さを外見上伸長させる方法である。このように増毛用毛髪材を地毛に取り付ける方法としては、三つ編みや四つ編みの編み結びによる取り付け方法、アイロン等で熱溶着して取り付ける方法等がある（例えば、特許文献１参照）。
【０００３】
三つ編みや四つ編みによる取り付け方法を採用した場合には、一般に、編み端部分は糸ゴムでとめられるが、該糸ゴムの両端を両手で結びつける際、編み目の緩みを防ぐために補助者が編み端を保持する必要が生じるので、複数の作業者が必要になり、人件費の負担が大きくなるという問題があり、また細く短い糸ゴムの結び作業には熟練を必要としていた。
【０００４】
また、熱融着による取り付け方法を採用した場合には、地毛を傷め、また溶着時に悪臭を発するという問題があり、ダメージを受けた地毛を対象とする場合には地毛が切れてしまうという問題があった。
【特許文献１】特開２００２−２０９２２号公報
【発明の開示】
【発明が解決しようとする課題】
【０００５】
そこで、本発明は、補助者を必要とせず、編み端を簡単かつ確実に結束することができる増毛用毛髪束及びその取り付け方法を提供することを課題とする。
【課題を解決するための手段】
【０００６】
本発明者は、前記課題を解決するために鋭意研究を重ねて完成されたものである。
１．地毛を取り分けた地毛束と編み合わされると共に、編み端が束ね材で束ねられることによって前記地毛束に取り付けられる増毛用毛髪束において、前記複数本の増毛用毛髪材で構成される本体部を束ね、引っ掛け部を備えた伸縮性を有する前記束ね材及び前記引っ掛け部が引っ掛けられる被引っ掛け部を、前記本体部に取り付けたことを特徴とする増毛用毛髪束を提供する。
２．前記束ね材及び前記被引っ掛け部の取り付け位置を、前記本体部のうち前記編み端の部位としたことを特徴とする前記１に記載の増毛用毛髪束を提供する。
３．ビーズの一部を膨出させることにより前記被引っ掛け部を形成し、前記ビーズに設けられた挿通孔に挿通される糸ゴムによって前記本体部を束ねることにより前記ビーズを前記増毛用毛髪材に取り付けたことを特徴とする前記１又は２に記載の増毛用毛髪束を提供する。
４．前記引っ掛け部を備えた伸縮自在な前記束ね材は糸ゴムであり、該糸ゴムの一部で前記本体部を束ね、前記糸ゴムの残りの部分を輪状に形成し、該輪状部の一部を前記引っ掛け部としたことを特徴とする前記１から３のいずれかに記載の増毛用毛髪束を提供する。
５．地毛を取り分けた地毛束と、前記１から４のいずれかに記載の増毛用毛髪束とを編み合わせた後、編み端部に前記増毛用毛髪束の前記束ね材を伸ばした状態で巻き付け、前記束ね材の復元力によって前記引っ掛け部を被引っ掛け部に引っ掛けることを特徴とする増毛用毛髪束の取り付け方法を提供する。
【発明の効果】
【０００７】
本発明の増毛用毛髪束によれば、前記複数本の増毛用毛髪材で構成される本体部を束ね、引っ掛け部を備えた伸縮自在な前記束ね材及び前記引っ掛け部が引っ掛けられる被引っ掛け部を、前記本体部に取り付けたので、増毛用毛髪束と地毛束とを編み合わせた後に編み端を結束する場合には、一人の作業者が、一方の手で編み端付近を握りながら、他方の手で束ね材を該編み端に巻き付けて束ねた後に、束ね材の引っ掛け部を被引っ掛け部に引っ掛けることができ、しかも、束ね材を伸ばした状態で巻き付けて、該束ね材の復元力を利用して束ね材の引っ掛け部を被引っ掛け部に引っ掛けるので、束ね材が不用意に解けるのを防止することができる。
【０００８】
したがって、前記束ね材を結びつける作業が不要になり、熟練者を必要とせず見習者等であっても束ね材による束ね作業が可能になり、人件費等の低減、施術時間の短縮化が可能になる。
【０００９】
その結果、規模の大小にかかわらず、多くの美容院でファッション性に富む増毛施術を行うことができ、美容業界の発展に寄与することができるようになる。
【００１０】
また、施術時間の短縮化により、十代や二十代の女性のみならず、主婦層にも増毛施術を利用できることになる。また、溶着工程が不要になるので、地毛を傷めたり、悪臭を発することがなく、ダメージを受けた地毛も施術の対象にすることができる。
【００１１】
更に、美容室では予め結束された状態の増毛用毛髪束を用いて、施術を行うことができるので、美容院での施術の一工程として大量の毛束から所要量の毛束を取り分ける作業が不要になり、また、顧客のストレート毛やカール毛等の髪質や色や量に応じて増毛用毛髪を束状にして美容室に提供することができるので、作業能率を更に向上させることができ、材料の無駄をなくすことができる。
【００１２】
また、前記束ね材及び前記被引っ掛け部の取り付け位置を、前記本体部の前記編み端部とすれば、前記束ね材及び前記被引っ掛け部を前記編み端部まで移動させる手間が省けて作業を更に迅速化できる。
【００１３】
また、ビーズの一部を膨出させることにより前記被引っ掛け部を形成し、前記ビーズに設けられた挿通孔に挿通される糸ゴムによって複数本の前記増毛用毛髪材を束ねることにより前記ビーズを前記増毛用毛髪材に取り付けるようにすれば、前髪等のように前記被引っ掛け部が目立つ部位に増毛用毛髪束を取り付けたとしても、ビーズの装飾効果によって前記被引っ掛け部をアクセサリーとして生かすことができ、増毛用毛髪束をあらゆる部位に取り付けることができるようになる。
【００１４】
また、前記引っ掛け部を備えた伸縮自在な前記束ね材は糸ゴムであり、該糸ゴムの一部で前記複数本の増毛用毛髪材を束ね、前記糸ゴムの残りの部分を輪状に形成し、該輪状部の一部を前記引っ掛け部とすれば、前記複数本の増毛用毛髪材を束ねる糸ゴムの残りを利用して前記引っ掛け部を備えた伸縮自在な前記束ね材を形成することができることになり、製造工程の簡略化及び部品点数の低減によって低コスト化を図ることができる。
【００１５】
本発明の増毛用毛髪束の取り付け方法によれば、前記束ね材を結びつける作業が不要になり、熟練者を必要とせず見習者であっても束ね材による束ね作業が可能になり、人件費等の施術費用の低減、施術時間の短縮化が可能になる。
【発明を実施するための最良の形態】
【００１６】
以下、本発明に係る増毛用毛髪束及びその取り付け方法の実施形態について図面を参照しつつ説明する。なお、全図を通し、同様の構成部分には同符号を付した。
【００１７】
図２乃至図４のように増毛用毛髪束Ａは、地毛束Ｂと編み合わせたときの編み端を束ねるための、引っ掛け部１を有する束ね材２と、引っ掛け部１が引っ掛けられる被引っ掛け部３を有するビーズ４とを備え、これらを本体部５に取り付けることにより形成されている。
【００１８】
本体部５は、図１のように大量の毛束から取り分けられる複数本の増毛用毛髪材６から成り、本体部５は糸ゴム７によって束ねられている。糸ゴム７は結束に必要な長さよりも長くなるように設定されており、結束に用いられる部分７ａ以外の部分を輪状にすることにより束ね材２が形成され、束ね材２の先端部は引っ掛け部１とされている。なお、増毛用毛髪材６には、人毛に限らず、人工毛髪や人工繊維等も含まれる。
【００１９】
図３のようにビーズ４はきのこ状に形成されており、ビーズ４の傘部４ａは被引っ掛け部３とされ、ビーズ４の柄部４ｂには挿通孔４ｃが設けられている。ビーズ４は、挿通孔４ｃに挿通される糸ゴム８で本体部５を束ねることにより、本体部５に取り付けられている。なお、糸ゴム７，８には増毛用毛髪材６の色等に応じて着色や模様が施されている。
【００２０】
ビーズ４及び束ね材２は、図３の矢印のように糸ゴム７，８の伸縮性によって本体部５に沿って移動でき、これによって本体部５に取り付けられる位置の調整ができるようになっている。また、ビーズ４及び束ね材２の取り付けられる位置は、次のように本体部５を地毛束Ｂと編み合わせたときの編み端Ｃ又はその近傍に位置する部位であり、かつ、同一部位であることが好ましい（図４）。
【００２１】
次に、以上のようにして構成される増毛用毛髪束Ａを、三つ編みにして地毛束Ｂに取り付ける方法について説明する。
（１）先ず、図４のように、地肌の地毛を取り分けて垂れ下がる地毛束Ｂと、増毛用毛髪束Ａ（白抜きで示す。）とを、増毛用毛髪束Ａが地毛束Ｂの下側に位置するように交差させる。また、該交差部分に増毛用毛髪束Ａのほぼ中央部分が位置するように調整する。
【００２２】
増毛用毛髪束Ａと地毛束Ｂとが交差した増毛用毛髪束Ａのうち、地毛束Ｂの左側に位置する部分を第１毛髪束部Ａ１とし、地毛束Ｂの右側に位置する部分を第２毛髪束部Ａ２とする。
（２）次に、これらを三つ編みにする。すなわち、図５のように第１毛髪束部Ａ１を中央の地毛束Ｂの上側からクロスして地毛束Ｂと第２毛髪束部Ａ２との間に位置させる。次に、第２毛髪束部Ａ２を第１毛髪束部Ａ１の上側からクロスして第１毛髪束部と地毛束Ｂとの間に位置させる。その後、地毛束Ｂを第２毛髪束部Ａ２の上側からクロスして第２毛髪束部Ａ２と第１毛髪束部Ａ１との間に位置させる。そして、この一連の動作の繰り返しにより、地毛束Ｂと増毛用毛髪束Ａとを三つ編みで編み合わせる。このとき、図５のように束ね材２及びビーズ４は、編み端Ｃ又はその近傍に位置する。
（３）次に、編み端Ｃを束ね材２で結束する。すなわち、図６のように束ね材２を伸長させた状態で編み端Ｃに巻き付けた後、図７のように束ね材２の先端部の引っ掛け部１をビーズ４の傘部４ａ（被引っ掛け部３）に引っ掛ける。この状態では束ね材２の弾性復元力が作用することにより、束ね材２がビーズ４の傘部４ａから不用意に外れるのが防止される。
【００２３】
なお、適当量に分け取った２つの地毛束Ｂと編み合わせて４つ編みにして地毛束Ｂに増毛用毛髪束Ａを取り付けるようにしても良い。また、増毛用毛髪束Ａと地毛束Ｂとをミックスして毛束を形成してこれを編み合わせるようにすれば、地毛束Ｂと増毛用毛髪束Ａとの結合力を更に向上させることができる。
【００２４】
図８乃至図１０は、他の実施形態を示しており、束ね材２とビーズ４とを引き離した状態で地毛束Ｂと編み合わせるようにしている。
【００２５】
なお、図１１のようにビーズ４の傘部４ａを星形やハートなど様々な形にし、また、傘部４ａやビーズ４全体に様々な色彩や模様を付することにより、被引っ掛け部３にアクセサリーとしての機能を効果的に発揮させることができる。
【図面の簡単な説明】
【００２６】
【図１】本発明に係る増毛用毛髪束の実施形態に用いられる複数本の増毛用毛髪材の正面図である。
【図２】同実施形態の正面図である。
【図３】図２のＸ部分の拡大図である。
【図４】同実施形態の編み合わせ工程を示す正面図である。
【図５】同実施形態の編み合わせ工程を示す正面図である。
【図６】同実施形態の編み合わせ工程を示す正面図である。
【図７】同実施形態の編み合わせ工程を示す正面図である。
【図８】他の実施形態の編み合わせ工程を示す正面図である。
【図９】同実施形態の編み合わせ工程を示す正面図である。
【図１０】同実施形態の編み合わせ工程を示す正面図である。
【図１１】（ａ）（ｂ）は本発明に係る増毛用毛髪束のビーズの形態を示す図である。
【図１２】ヘアーエクステンションによる増毛工程を示す図である。
【図１３】同増毛工程を示す図である。
【符号の説明】
【００２７】
Ａ      増毛用毛髪束
１      引っ掛け部
２      束ね材
３      被引っ掛け部
４      ビーズ
４ａ    ビーズの傘部
４ｂ    ビーズの柄部
５      本体部
６      増毛用毛髪材
７      糸ゴム
８      糸ゴム
【要約】
【課題】  補助者を必要とせず、編み端を簡単かつ確実に結束することができる増毛用毛髪束及びその取り付け方法を提供する。
【解決手段】  地毛を取り分けた地毛束と編み合わされると共に、編み端部を束ね材で巻き付けることによって前記地毛束に取り付けられる増毛用毛髪束において、前記複数本の増毛用毛髪材で構成される本体部を束ね、引っ掛け部を備えた伸縮性を有する前記束ね材及び前記引っ掛け部が引っ掛けられる被引っ掛け部を、前記本体部に取り付けたことを特徴とする。  
【選択図】    図４
【図１】
0003682609.tif 000002
【図２】
0003682609.tif 000003
【図３】
0003682609.tif 000004
【図４】
0003682609.tif 000005
【図５】
0003682609.tif 000006
【図６】
0003682609.tif 000007
【図７】
0003682609.tif 000008
【図８】
0003682609.tif 000009
【図９】
0003682609.tif 000010
【図１０】
0003682609.tif 000011
【図１１】
0003682609.tif 000012
【図１２】
0003682609.tif 000013
【図１３】
0003682609.tif 000014